(57)【要約】【課題】防犯性が向上されてなる回転操作式窓を提供する。【解決手段】オペレータハンドル２の回転操作により開閉するようにされてなる回転操作式窓１であって、オペレータハンドル２が着脱機構２０を有し、該着脱機構２０の操作部２３ｃを押下することにより前記オペレータハンドル２の取外しがなされるものである。【選択図】  図４
2004285610.tif 000002
【特許請求の範囲】
【請求項１】
オペレータハンドルの回転操作により開閉するようにされてなる回転操作式窓であって、前記オペレータハンドルが着脱自在とされてなることを特徴とする回転操作式窓。
【請求項２】
オペレータハンドルが着脱機構を有し、該着脱機構の操作部を押下することにより前記オペレータハンドルの取外しがなされることを特徴とする請求項１記載の回転操作式窓。
【請求項３】
回転操作式窓が竪軸すべり出し窓とされてなることを特徴とする請求項１記載の回転操作式窓。
【発明の詳細な説明】
【０００１】
【発明の属する技術分野】
本発明は、回転操作式窓に関する。さらに詳しくは、オペレータハンドルの回転操作により開閉するようにされた竪軸すべり出し窓などの回転操作式窓であって、防犯性が強化されてなる回転操作式窓に関する。
【０００２】
【従来の技術】
従来より、ラック・アンド・ピニオンなどを利用した開閉機構が設けられ、クランク型のオペレータハンドルで軸を回転させることにより開閉するようにされた竪軸すべり出し窓が知られている。
【０００３】
このような竪軸すべり出し窓は、室内側でのオペレータハンドルの操作により窓が開閉されるため、窓の内側に配置される網戸を開けることなく窓を開閉することができ、蚊、蝿などの害虫が室内に侵入するのを防止できるといった利点がある。
【０００４】
しかしながら、このような竪軸すべり出し窓はオペレータハンドルの操作のみにより開閉されるため、空き巣狙いなどがオペレータハンドルの近傍で窓を破って外部から手を侵入させてオペレータハンドルを操作して窓を開けることができる。つまり、このようなオペレータハンドルの操作により開閉される竪軸すべり出し窓は、防犯性に劣るという問題がある。
【０００５】
【発明が解決しようとする課題】
本発明はかかる従来技術の課題に鑑みなされたものであって、防犯性が向上されてなる回転操作式窓を提供することを目的としている。
【０００６】
【課題を解決するための手段】
本発明の回転操作式窓は、オペレータハンドルの回転操作により開閉するようにされてなる回転操作式窓であって、前記オペレータハンドルが着脱自在とされてなることを特徴とする。
【０００７】
本発明の回転操作式窓においては、オペレータハンドルが着脱機構を有し、該着脱機構の操作部を押下することにより前記オペレータハンドルの取外しがなされるのが好ましい。
【０００８】
ここで、回転操作式窓としては、例えば竪軸すべり出し窓をあげることができる。
【０００９】
【作用】
本発明は、前記の如く構成されているので、外出時にオペレータハンドルを取外しておくことにより防犯性を向上できる。
【００１０】
【発明の実施の形態】
以下、添付図面を参照しながら本発明を実施形態に基づいて説明するが、本発明はかかる実施形態のみに限定されるものではない。
【００１１】
図１および図２に本発明の一実施形態に係る回転操作式窓としての竪軸すべり出し窓を示す。図１は竪軸すべり出し窓（以下、単に窓という）１を室内側から見た図である。図２は窓枠４のＡ−Ｂ線における断面図である。
【００１２】
窓１は、詳細は図示しない、回転軸（入力軸）Ｉおよびこれと連動して窓を開閉するように直動する直動機構からなる開閉機構を備え、クランク式のオペレータハンドル（ハンドルという）２により入力軸Ｉ（図４参照）を回転させることによって、開閉されるものとされる。
【００１３】
また、図３に示すように、窓１は、ハンドル２の取付部（ハンドル取付部）３ａと窓１の鍵を開度を調節する開度調節つまみ３ｂとが一体的に設けられてなる窓操作部３を備えるものとされる。
【００１４】
窓操作部３は、窓１の開閉操作と開度調節とがし易い室内側の所定位置、例えば窓枠４の下枠４ｂに取り付けられるものとされる。
【００１５】
窓１が開閉される原理は、基本的には通常のすべり出し窓と同様とされる。例えば、図１および図２に示すように、窓サッシ１０の一方の竪框１１の両端から突き出させるようにして軸１２、１２を設け、窓枠４の上枠４ａおよび下枠４ｂに軸１２、１２と係合する所定長さのガイド溝４ｃ、４ｃを設けるとともに、脚材１３、１３を上枠４ａおよび下枠４ｂに設けられる軸４ｄ、４ｄにより一端１３ａで水平に回動自在に設け、かつ他端１３ｂを水平に回動自在に窓サッシ１０に取り付ける。
【００１６】
この構成によって、開閉機構の直動機構により軸１２、１２をガイド溝４ｃ、４ｃに沿って窓１の中央側（図１、図２の左側）に押していくことによって、窓サッシ１０が外開きに開いていくものとされる。逆に、軸１２、１２をガイド溝４ｃ、４ｃに沿って窓１の一端側（図１、図２の右側）に引くことによって、窓１は閉じられる。
【００１７】
また、このような窓１の開閉動作は、ハンドル２の操作のみによって可能なものとされ、窓１を直接手などにより開閉しようとしても開閉機構の直動機構が動かない構造とされている。このような窓１の開閉機構の構造は公知従来のものを適宜適用して実現できる。
【００１８】
次に、図３および図４を参照しながらハンドル２を説明する。
【００１９】
ハンドル２の操作側端部には入力軸と平行な軸回りに自由に回動するようにして把手２ａが設けられるものとされる。
【００２０】
また、ハンドル２は、開閉機構の入力軸Ｉに対する取り付けおよび取り外しを可能とするための着脱機構２０が設けられてなるものとされる。
【００２１】
着脱機構２０は、軸Ｉの端部２１の断面を例えば方形に成形し、この端部２１に概略Ｖ字形の係合孔２１ａを設け、ハンドル２の取付部３ａ側端面に軸Ｉの端部２１と嵌合する嵌合孔２２を設け、端部２１を嵌合孔２２に所定深さまで嵌合させたときにハンドル２の軸Ｉからの抜けを阻止するように係合孔２１ａと係合し、かつ所定の操作で係合孔２１ａとの係合関係が解除される係合部２３をハンドル２に埋め込むようにして設けてなるものとされる。
【００２２】
係合部２３は、開閉機構の入力軸Ｉと垂直な方向の揺動軸２３ａを支点として概略中間位置で揺動自在に支持される係合金具２３ｂを有する。係合金具２３ｂの一端には、ハンドル２の表面から突き出させるようにして操作部２３ｃが設けられ、他端には係合孔２１ａと係合する係合面２３ｄが設けられてなるものとされる。
【００２３】
係合金具２３ｂは、図示しない付勢手段により係合面２３ｄが係合孔２１ａと係合する方向に付勢されており、軸Ｉの端部２１にハンドル２の嵌合孔２２を嵌める際には端部２１の表面によって付勢手段が付勢する方向と逆の方向に押し上げられ、係合面２３ｄが係合孔２１ａと対向する位置まで端部２１に嵌合孔２２を嵌合させたときに係合面２３ｄと係合孔２１ａとが係合し、ハンドル２の抜けが阻止される。
【００２４】
また、操作部２３ｃを押下することによって、係合面２３ｄと係合孔２１ａとの係合関係が解除されるように係合金具２３ｂが揺動し、ハンドル２の取り外しが可能となる。
【００２５】
以上の構成によって、ハンドル２の入力軸Ｉへの取り付けおよび取り外し、つまり窓操作部３への取り付けおよび取り外しが自在とされる。したがって、例えば外出時にはハンドル２を窓操作部３から取り外して保管し、帰宅して窓を開けるときにはハンドル２を窓操作部３に取り付けて操作する、といった取扱が可能となる。
【００２６】
そして、ハンドル２を窓操作部３から取り外した状態では、窓１を開閉することはできなくなるため、例え空き巣狙いが窓操作部３近傍で窓１を破ったとしても窓１を開閉することはできない。したがって、防犯性が向上する。
【００２７】
なお、ハンドル２の保管場所は窓操作部３からある程度の距離があればどこでもよく、例えば窓１から床までに距離があるならば、取り外したハンドル２を足もとの床に置くようにして保管することも可能である。
【００２８】
このように、本実施形態の窓１は、オペレータハンドル２を用いた回転操作のみによって開閉可能な構造とされ、かつオペレータハンドル２の窓操作部３に対する付け外しが自在な構成とされている。
【００２９】
したがって、操作性を最良とするように、窓操作部３にハンドル取付部３ａと開度調節つまみ３ｂとを一体的に設けた構成でありながら、ユーザーは、オペレータハンドル２を取り外すという簡易な動作によって、空き巣狙いが窓操作部３の近傍を破り窓１を開けるなどして簡単に室内に侵入するのを防止することができる。このため、防犯性が向上する。
【００３０】
【発明の効果】
以上詳述したように、本発明は前記の如く構成されているので、外出時にオペレータハンドルを取外しておくことにより防犯性を向上できるという優れた効果が得られる。
【図面の簡単な説明】
【図１】本発明の一実施形態に係る防犯性が強化された回転操作式窓を示す正面図である。
【図２】図１のＡ−Ｂ線による一部断面図である。
【図３】本回転操作式窓の操作部の外観を示す斜視図である。
【図４】オペレータハンドルの着脱機構の詳細を示す一部断面図であり、同図（ａ）は窓開閉機構の入力軸に沿った断面図であり、同図（ｂ）は図（ａ）のＣ−Ｄ線による断面図である。
【符号の説明】
１        竪軸すべり出し窓（回転操作式窓）
２        オペレータハンドル
３        窓操作部
３ａ      ハンドル取付部
４        窓枠
２０      着脱機構
２１      軸端部
２２      軸端部嵌合孔
２３      係合部
Ｉ        窓開閉機構入力軸
【図１】
2004285610.tif 000003
【図２】
2004285610.tif 000004
【図３】
2004285610.tif 000005
【図４】
2004285610.tif 000006